(57)【要約】【課題】  補修作業を極めて簡単且つ短時間に終えることができる新規な床材及び床材の敷設構造を提供する。【解決手段】  長さ方向及び幅方向に多数固定される床材１であって、長方形状に成形されてなる肉厚部２と、この肉厚部２の長さ方向の一方の端部に形成され該肉厚部２の上面と面一とされてなる第１の薄肉部３と、上記肉厚部２の長さ方向の他方の端部に形成され該肉厚部２の下面と面一とされてなる第２の薄肉部４と、上記第１の薄肉部３に形成されてなりネジＮが挿通される複数の透孔５，５と、上記第２の薄肉部４の端面から第１の薄肉部３方向に形成されてなるとともに上記ネジＮを構成する軸部Ｎ２が挿通される複数のスリット６，６と、を備えてなる。【選択図】  図３
2006045812.tif 000002
【特許請求の範囲】
【請求項１】
長さ方向及び幅方向に多数固定される床材であって、
長方形状に成形されてなる肉厚部と、この肉厚部の長さ方向の一方の端部に形成され該肉厚部の上面と面一とされてなる第１の薄肉部と、上記肉厚部の長さ方向の他方の端部に形成され該肉厚部の下面と面一とされてなる第２の薄肉部と、上記第１の薄肉部に形成されてなりネジが挿通される複数の透孔と、上記第２の薄肉部の端面から第１の薄肉部方向に形成されてなるとともに上記ネジを構成する軸部が挿通される複数のスリットと、を備えてなることを特徴とする床材。
【請求項２】
前記複数のスリットの幅は、前記ネジを構成する軸部の径よりもやや短い幅とされてなることを特徴とする請求項１記載の床材。
【請求項３】
前記透孔は、前記ネジを構成する頭部の径よりも大径となされた大径部と、この大径部と同心に形成され該大径部よりも径の短い小径部とからなるとともに、該大径部の深さは上記ネジの頭部の肉厚よりも深いものとされてなることを特徴とする請求項１又は２記載の何れかの床材。
【請求項４】
前記肉厚部の幅方向の一方の端部には、該肉厚部の上面と面一とされてなる第３の薄肉部が形成され、上記肉厚部の幅方向の他方の端部には、該肉厚部の下面と面一とされてなる第４の薄肉部が形成されてなることを特徴とする請求項１，２又は３記載の床材。
【請求項５】
前記第４の薄肉部の基端の下面には、前記肉厚部の長さ方向にスリットが形成されてなることを特徴とする請求項４記載の床板。
【請求項６】
前記請求項３，４又は５記載の床材が、肉厚部の長さ方向及び幅方向に多数固定されてなるとともに、該床材を構成する各大径部には、該各床材を固定するネジの頭部を被覆するとともに上面は第１の薄肉部の上面と面一とされた円柱状の蓋体が嵌合されてなることを特徴とする床材の敷設構造。
【発明の詳細な説明】
【技術分野】
【０００１】
本発明は、建物の床に敷設される床材及びこの床材の敷設構造に関するものである。
【背景技術】
【０００２】
従来、床に敷設される各床材は、それぞれ長方形状に成形されてなり、互いに平行に形成された端面には、それぞれ雄実部と雌実部とが形成されている。すなわち、この床材は、長方形状に成形された肉厚部と、この肉厚部の長さ方向の一方の端面には、該肉厚部の長さ方向に突出してなる第１の雄実部が形成され、該肉厚部の長さ方向の他方の端面には、上記第１の雄実部が嵌合する第１の雌実部が形成され、さらに、該肉厚部の幅方向の一方の端面には、第２の雄実部が形成され、他方の端面には、この第２の雄実部が嵌合する第２の雌実部が形成されている。上記第１及び第２の雄実部は、上記肉厚部の端面の中央から突出してなり、これらの雄実部が嵌合する上記各雌実部も上記肉厚部の端面の中央から凹んだ状態で形成されている。したがって、このように構成された従来の床材は、上記第１の雄実部が第１の雌実部内に嵌合するとともに、上記第２の雄実部が第２の雌実部内に嵌合した状態で、上記肉厚部の長さ方向及び幅方向に敷設されている。なお、各床材は、上記第１の雄実部の基端から斜めに打ち込まれた釘によりそれぞれ固定されている。
【０００３】
ところで、このように多数の床材が敷設された後において、例えば、誤って工具や家具等が落下し窪みや傷が形成され、この結果、一部の床材のみを補修しなければならない場合がある。しかしながら、上述したように、各床材同士は、それぞれの雄実部が雌実部内に嵌合していることから、補修すべき一部の床材のみを全体の敷設作業が完了した後に取り外す作業は極めて困難であり、高コストとなることを避けられない。なお、従来、こうした課題の解決を目的とした補修方法又は貼り替え方法が提案されている（特許文献１，２参照）。
【特許文献１】特願２００１−１５９２４７号公報
【特許文献２】特願２００３−  ７４１７０号公報
【発明の開示】
【発明が解決しようとする課題】
【０００４】
しかしながら、この特許文献１に開示された床材の補修方法では、補修が必要な床材の該補修箇所の周辺領域を切削して凹部を形成し、この切削して形成した凹部に適合する補修用ピースを嵌め込み固定する方法であって、補修すべき特定の床材全体を取り替えるものではないばかりか、補修作業は極めて面倒であり短時間内に補修作業を終えることができない。また、特許文献２に開示された貼り替え方法では、補修すべき床材は上述した通り、４箇所において雄実部と雌実部とが嵌合されていることから、この床材を取り外す場合には、床材の全長に亘って切断しなければならず、やはり補修作業は極めて面倒であり短時間内に補修作業を終えることができない。
【０００５】
そこで、本発明は、上記従来の床材やこの床材の敷設構造が有する課題を解決するために提案されたものであって、補修作業を極めて簡単且つ短時間に終えることができる新規な床材及び床材の敷設構造を提供することを目的とするものである。
【課題を解決するための手段】
【０００６】
本発明は、上記課題を解決するために提案されたものであり、第１の発明（請求項１記載の発明）は、長さ方向及び幅方向に多数固定される床材であって、長方形状に成形されてなる肉厚部と、この肉厚部の長さ方向の一方の端部に形成され該肉厚部の上面と面一とされてなる第１の薄肉部と、上記肉厚部の長さ方向の他方の端部に形成され該肉厚部の下面と面一とされてなる第２の薄肉部と、上記第１の薄肉部に形成されてなりネジが挿通される複数の透孔と、上記第２の薄肉部の端面から第１の薄肉部方向に形成されてなるとともに上記ネジを構成する軸部が挿通される複数のスリットと、を備えてなることを特徴とするものである。
【０００７】
この第１の発明において、上記第１の薄肉部と第２の薄肉部とは、必ずしも同一の肉厚である必要はないが、加工或いは強度の点からすればそれぞれ同一の肉厚であることが好ましい。また、この発明を構成する上記スリットは、少なくとも、その端部又は中途部において第１の薄肉部に形成された透孔から挿通されたネジの軸部が挿通又はネジ込まれる位置に形成されている必要があり、この第１の発明においては、その長さや幅は特に限定されるものではない。このスリットは、例えば、鋸を使用して第２の薄肉部の先端側から基端側に形成する方法を採用することができ、これにより該鋸のあさりの幅に応じた幅のスリットが形成される。また、このスリットの形状は、第１の薄肉部の先端側から基端側にかけて同一の幅とされている必要はなく、例えば、該第１の薄肉部の先端側は広く、徐々に基端側にかけて狭くされた形状であっても良い。
【０００８】
また、第２の発明（請求項２記載の発明）は、上記第１の発明において、前記複数のスリットの幅は、前記ネジを構成する軸部の径よりもやや短い幅とされてなることを特徴とするものである。
【０００９】
また、第３の発明（請求項３記載の発明）は、上記第１又は第２の発明において、前記透孔は、前記ネジを構成する頭部の径よりも大径となされた大径部と、この大径部と同心に形成され該大径部よりも径の短い小径部とからなるとともに、該大径部の深さは上記ネジの頭部の肉厚よりも深いものとされてなることを特徴とするものである。
【００１０】
また、第４の発明（請求項４記載の発明）は、前記肉厚部の幅方向の一方の端部には、該肉厚部の上面と面一とされてなる第３の薄肉部が形成され、上記肉厚部の幅方向の他方の端部には、該肉厚部の下面と面一とされてなる第４の薄肉部が形成されてなることを特徴とするものである。
【００１１】
なお、上記第３の薄肉部と第４の薄肉部との幅は、必ずしも同一の幅とする必要性はないが、少なくとも第４の薄肉部の幅が広い場合には、修復すべき特定の床材を取り除く際に困難となることから、該第４の薄肉部の回転中心として回転するよう第３の薄肉部側を持ち上げようとした際に、隣に敷設された床材に形成された第３の薄肉部に掛合しない幅とすることが好ましい。
【００１２】
また、第５の発明（請求項５記載の発明）は、上記第４の発明において、前記第４の薄肉部の基端の下面には、前記肉厚部の長さ方向にスリットが形成されてなることを特徴とするものである。
【００１３】
この第５の発明を構成するスリットは、前記第４の薄肉部の基端の下面に形成されている必要があり、換言すれば、該第４の肉厚部と肉厚部との間の部位の下面に形成されている必要がある。そして、このスリットは、肉厚部の長さ方向に長さを有するものである必要があるが、該スリットの深さは特に限定されるものではない。但し、このスリットの深さは、上記第４の肉厚部の基端が、半分位の肉厚となる深さとすることが好ましい。
【００１４】
また、第６の発明（請求項６記載の発明）は、床材の敷設構造に係るものであって、前記第３，４又は５の発明に係る床材が、肉厚部の長さ方向及び幅方向に多数固定されてなるとともに、該床材を構成する各大径部には、該各床材を固定するネジの頭部を被覆するとともに上面は第１の薄肉部の上面と面一とされた円柱状の蓋体が嵌合されてなることを特徴とするものである。
【００１５】
なお、上記蓋体は、必ずしも素材が木である必要はなく、樹脂ゴム等であっても良く、また、床材とは異なる色若しくは模様が形成されているものであっても良い。さらに、この床材の敷設方法は、各床材の端部が幅方向に並ぶ状態で敷設されるものでも、また、幅方向に敷設される床材の端部が一つ置き或いは二つ置きに異なる位置となる状態で敷設されても良い。
【発明の効果】
【００１６】
第１の発明（請求項１記載の発明）に係る床材では、一旦敷設された後であっても、簡単且つ短時間内に取り外すことが可能となる。この床材の取り外し方法を簡単に説明すると、先ず、ノミ又は鋸により、取り外すべき特定の床材を幅方向又は幅方向に対してやや傾斜した方向にそれぞれ平行して２箇所で切断する。この２箇所の切断位置の間隔は、上記第１の薄肉部の長さよりもやや長い間隔とする。そして、この２箇所の切断位置に囲まれた部位を取外す。次いで、上記第１の薄肉部が形成された部位又は第２の薄肉部が形成された部位を取り外す。例えば、上記第１の薄肉部が形成された部位を先に取り外す場合には、透孔に挿通されたネジを取り外し、上方に持ち上げる。次に、上記第２の薄肉部が形成された側を上記スリットの長さ方向にスライドさせるとともに上方に持ち上げる。こうした作業により、他の床材を取り外すことなく、補修すべき特定の床材のみを簡単に取り外すことができる。
【００１７】
上記第２の発明（請求項２記載の発明）では、複数のスリットの幅は、前記ネジを構成する軸部の径よりもやや短い幅とされてなることから、上述した作用効果に加え、ネジと床材との抵抗により、第１の薄肉部の形成位置で固定された床材が長さ方向に伸縮することを抑制することができる。
【００１８】
上記第３の発明（請求項３記載の発明）では、前記透孔は、前記ネジを構成する頭部の径よりも大径となされた大径部と、この大径部と同心に形成され該大径部よりも径の短い小径部とからなるとともに、該大径部の深さは上記ネジの頭部の肉厚よりも深いものとされてなることから、該大径部内にネジの頭部を被覆する部材を収容することができる。
【００１９】
上記第４の発明（請求項４記載の発明）では、前記肉厚部の幅方向の一方の端部には、該肉厚部の上面と面一とされてなる第３の薄肉部が形成され、上記肉厚部の幅方向の他方の端部には、該肉厚部の下面と面一とされてなる第４の薄肉部が形成されてなることから、互いに幅方向に隣り合う床材と床材との間から下地材が露見し、或いは、気密性が損なわれることを有効に防止することができる。
【００２０】
また、第５の発明（請求項５記載の発明）では、第４の薄肉部の基端の下面には、前記肉厚部の長さ方向にスリットが形成されてなることから、一旦敷設された床材を取り外す際に、上面に第３の肉厚部が重ね合わされている第４の肉厚部を、ノミ等により容易に基端から割ることができ、一層取外作業を簡便なものとすることができる。
【００２１】
また、第６の発明（請求項６記載の発明）によれば、床材を固定するネジの頭部は蓋体により被覆されることから、ネジの頭部が床材の上面よりも上方に露出したり、該ネジの頭部が露見したりすることがなく、床全体の美観を向上させることができる。特に、この蓋体の上面の色や模様が床材とはことなる色や模様とした場合には、床全体の美観を更に向上することができる。
【発明を実施するための最良の形態】
【００２２】
以下、本発明の実施の形態に係る床材及びこの床材の敷設構造について、図面を参照しながら詳細に説明する。
【００２３】
この実施の形態に係る床材１は、天然木を素材とするものであり、図１に示すように、長方形状に成形された肉厚部２の一端には、第１の薄肉部３が形成され、他端には第２の薄肉部４が形成されている。上記第１の薄肉部３は、上面が上記肉厚部２の上面と面一とされてなるとともに、該肉厚部２の厚みの半分の肉厚とされている。一方、上記第２の薄肉部４は、上記肉厚部２の下面と面一とされてなるとともに、該肉厚部２の厚みの半分の肉厚とされている。すなわち、この実施の形態に係る床材１では、上記第１の薄肉部３と第２の薄肉部４とは同一の肉厚とされてなり、したがって、この床材１では、該第１の薄肉部３と第２の薄肉部４とが上下に重ね合わされた場合には、肉厚部２と同じ肉厚となるように構成されている。なお、この床材１においては、上記第２の薄肉部４の長さは、第１の薄肉部３の長さよりも若干短いものとされ、該第１の薄肉部３の端面３ａが、（この床材１の一端側に敷設された他の床材１を構成する）肉厚部２の一端面２ａに当接した際、該第２の薄肉部４の端面４ａと（この床材１の他端側に敷設された他の床材１を構成する）肉厚部２の他端面２ｂとの間に若干の隙間が形成されるように構成されている。
【００２４】
そして、上記第１の薄肉部３には、２つの透孔５，５が肉厚部２の幅方向に並んで穿設されている。これらの透孔５，５は、何れも同じ中心となされた大径部５ａと、小径部５ｂとから構成され、該大径部５ａは、後述するネジＮを構成する頭部Ｎ１の径よりの太い径となされ、小径部５ｂは、該頭部Ｎ１の径よりも細い径となされ且つ該ネジＮの軸部Ｎ２の径よりも若干太い径となされている。一方、上記第２の薄肉部４には、上記透孔５，５に対応した２つの溝部６，６が形成されている。これらの溝部６，６は、何れも本発明を構成するスリットである。これらの溝部６，６は、上記第２の薄肉部４の端面４ａ側から図示しない鋸により肉厚部２の一端面２ａ方向に形成されてなるものである。
【００２５】
また、この床材１においては、上記肉厚部２の一側には、第３の薄肉部７が形成され、他側には第４の薄肉部８が形成されている。上記第３の薄肉部７は、上記肉厚部２の下面と面一とされてなるものであり、該肉厚部２の厚みの半分の肉厚とされている。一方、上記第４の薄肉部８は、上記肉厚部２の上面と面一とされてなるとともに、該肉厚部２の厚みの半分の肉厚とされている。すなわち、この実施の形態に係る床材１では、上記第３の薄肉部７と第４の薄肉部８とは同一の肉厚とされてなり、したがって、この床材１では、該第３の薄肉部７と第４の薄肉部８とが上下に重ね合わされた場合には、肉厚部２と同じ肉厚となるように構成されている。なお、この床材１においては、上記第３の薄肉部７の長さは、第４の薄肉部８の長さよりも若干短いものとされ、該第４の薄肉部８の端面８ａが、（この床材１の一側側に敷設された他の床材１を構成する）肉厚部２の一側面２ｃに当接した際、該第３の薄肉部７の端面（符号は省略する。）と（この床材１の一側側に敷設された他の床材１を構成する）肉厚部２の他側面２ｄとの間に若干の隙間が形成されるように構成されている。また、上記第３及び第４の薄肉部７，８は、上記肉厚部２から数（２〜３）ミリメートルの幅とされている。なお、上記第３の薄肉部７は、本発明を構成する第４の薄肉部であり、上記第４の薄肉部８は、本発明を構成する第３の薄肉部である。
【００２６】
以下、上述した床材１の敷設方法の一例を簡単に説明すると、図２に示すように、既に敷設された上記床材Ａ，Ｂ，Ｃ・・・に、床材１を敷設する際には、該床材Ａに形成された第２の薄肉部４上に、該床材１に形成された第１の薄肉部３を重ねるとともに、既に固定された床材Ｂ，Ｃに形成された第３の薄肉部７上に第４の薄肉部８を重ねるように設置し、該床材１に形成された透孔５，５にネジ（図２には図示されていない。）を挿通し固定する。こうした床材１の固定作業が終了すると、次いで、同じ要領で床材１０を固定する。なお、ここで上記ネジＮによる床材１の固定構造を説明すると、図３に示すように、各床材１，１の下方には下地材Ｕが敷設され、また、この下地材Ｕは根太Ｗに固定されている。そして、上記下地材Ｕ上に敷設された上記各床材１，１は、上記第２の薄肉部３上に第１の薄肉部３が重ね合わされ、且つ、上記透孔５から溝部６内に挿通されたネジＮにより固定されている。このネジＮの軸部Ｎ２は、上記下地材Ｕ及び根太Ｗにねじ込まれているとともに、該ネジＮの頭部Ｎ１の上面は、上記透孔５を構成する大径部５ａの下面と略面一とされている。そして、上記大径部５ａ内には、木を素材とした円柱状の蓋体９が嵌合されている。
【００２７】
そこで、以下、このように多数の床材１が敷設されている状態において、特定の床材１のみを取り外す方法に付いて、以下説明する。
【００２８】
先ず、図４（Ａ）に示すように、取り外す特定の床材１の幅方向（又は、該床材１の幅方向よりやや傾斜した方向）に、図中二点鎖線で示すように、２箇所の切断位置Ｃ１，Ｃ２で切断し、床材１を、両側が切断された板体Ｘと、片側が切断され第１の薄肉部３が形成されている板体Ｙと、片側が切断され第２の薄肉部４が形成されている板体Ｚとに分割する。なお、この床材１の切断方法は、図示しないノミ、或いは電動鋸等を使用する。そして、この両側（２箇所）で切断された板体Ｘを先ず取り外す。この場合、この板体Ｘの他側に形成された上記第４の薄肉部８は、取り外す床材１の隣に敷設された床材Ａ，Ｂの一側に形成された第３の薄肉部７，７上に位置しているが、該板体Ｘの一側に形成された第３の薄肉部７は、固定された床材Ｃ，Ｄに形成された第４の薄肉部８，８の下側に位置していることから、上記第３の薄肉部７側を中心としながら第４の薄肉部８側を上方に持ち上げ回転させる。そして、このように、板体Ｘを取り外す作業が終了すると、次いで、上記第２の薄肉部４が形成された板体Ｚを、図４（Ｂ）に示すように、板体Ｙ方向にスライドさせる。この時、上記板体Ｚは、ネジＮの軸部Ｎ１が上記溝部６に挿通されていることから、大きな力を必要とすることがない。そして、この板体Ｚを取り外す際には、上記板体Ｘを取り外す要領と同じように、第４の薄肉部８側を上方に持ち上げ回転させる。
【００２９】
また、上記板体Ｙを取り外す場合には、先ず、上記透孔５を構成する大径部５ａ内に嵌合している蓋体９，９を、図示しないノミ等を用いて取り外す。次いで、図示しないドライバー等を用いてネジＮ，Ｎを取り外す。こうした作業により床材Ｅに固定されていた板体Ｙを取り外すことができる。この板体Ｙを取り外す要領も、上記板体Ｘ，Ｚを取り外す要領と同じ要領によりやや第４の薄肉部８側を上方に持ち上げ回転させる。以上の工程により、床材１の全てを取り外す作業が終了する。
【００３０】
なお、このように床材１が取り外された後には、上記床材１とはやや異なる構成・形状となされた他の床材２１を固定する。この他の床材２１は、上記床材１を構成する第２の薄肉部４が形成されていないものであり、他の構成は全て同じものであり、図５（Ａ）に示すように、上記肉厚部２２と、この肉厚部２２の一端に形成された第１の薄肉部２３と、上記肉厚部２２の一側に形成され下面は該肉厚部２２と面一となされた第２の薄肉部（符号は省略すする。）と、上記肉厚部２２の他側に形成され上面は該肉厚部２２と面一とされた第３の薄肉部２８とを備えてなるものである。なお、上記肉厚部２２は、前記床材１を構成する肉厚部２と同様の長さ幅に成形され、また、上記第１の薄肉部２３も上記床材１を構成する第１の薄肉部３と同じ長さ幅に成形されている。同様に、上記第２の薄肉部も上記床材１を構成する第３の薄肉部７と同様の長さ幅に成形され、第３の薄肉部２８も、床材１を構成する第４の薄肉部８と同じ長さ幅に成形されている。また、上記第１の薄肉部２３には、床材１に形成された透孔５，５と同様の透孔２５，２５が形成されている。
【００３１】
そして、上述のように構成された他の床材２１を、図５（Ａ）に示すように、それまで床材１が敷設されていた位置に敷設する。この時、隣に敷設されている床板Ｃ，Ｄには、それぞれ第４の薄肉部８，８が形成されており、この他の床材２１を構成する第２の薄肉部は、これら第４の薄肉部８，８の下側に位置するよう敷設しなければならないことから、先ず、該他の床材２１をやや傾斜させ、該他の床材２１を構成する第２の薄肉部を、敷設されている床材Ｃ，Ｄに形成された第３の薄肉部８，８の下方に挿入させ、次いで、第３の薄肉部２８が、床材Ａ，Ｂに形成された図示しない第４の薄肉部（７，７）上に載置されるようにやや回転させる。そして、上記透孔２５，２５内にネジＮ，Ｎにより、この他の床材２１を固定し、さらに、上記透孔２５，２５を構成する大径部（符号は省略する。）内に蓋体９，９を嵌合させる。
【００３２】
こうした方法・工程により、他の床材２１は、既に敷設されている床材Ａ，Ｂ，Ｃ，Ｄ，Ｅ，Ｆと外観上全く異ならない状態で固定される。
【００３３】
このように、上述した実施の形態に係る床材１によれば、一旦多数敷設された後においても簡単且つ短時間に取り外すことができ、補修作業も極めて迅速に行うことができる。特に、上記床材１には、第３及び第４の薄肉部７，８が形成されていることから、互いに幅方向に隣り合う床材１と床材１との間から下地材Ｕが露見し、或いは、気密性が損なわれることを有効に防止することができる。また、上述した床材の敷設構造では、透孔５，５には、ネジＮの頭部Ｎ１上に蓋体９，９が嵌合されていることから、ネジＮ，Ｎが露見することがなく、極めて外観を向上させることができる。
【００３４】
なお、上述した実施の形態に係る床材１では、肉厚部２の一側に第３の薄肉部７を、他側に第４の薄肉部８を形成したが、本発明は、必ずしもこれら第３及び第４の薄肉部７，８が形成されている必要はない。こうした第３及び第４の薄肉部７，８が形成されていない床板によれば、取外作業が一層簡単なものとなる。
【００３５】
また、上述した床材１は、図６に示すように、第３の肉厚部（本発明を構成する第４の肉厚部）７の基端の裏面には、第２のスリット３０が形成されているものであっても良い。この第２のスリットは、上記肉厚部２の一側面２ｃの下方に位置する部位に形成されてなるものであり、床材１の一端から他端に亘って形成されてなるものであるとともに、その形状は、最も幅の広い下方から上方にかけて狭い幅となるよう断面が三角形状とされている。また、このスリット３０の高さは、上記第３の薄肉部７の肉厚が略半分となる高さとされている。
【００３６】
このように第２のスリット３０が形成された床材１によれば、上記一側面２ｃの近傍からノミ等を打ち付けることにより、該スリット３０から容易に割ることができ、第４の薄肉部８の下面に嵌まり込んでいる上記第３の薄肉部７の存在により外し難いという事態を有効に解消することができる。なお、図６に示す床材１では、上記第２のスリット３０の深さが第３の薄肉部７の肉厚を約半分に肉厚となす深さとしているが、更に深いスリットが形成されているものであっても良い。
【図面の簡単な説明】
【００３７】
【図１】本発明の一実施の形態に係る床材を一部破断して示す斜視図である。
【図２】図１に示す床材の敷設作業を示す斜視図である。
【図３】図１に示す床材の敷設構造の要部を拡大して示す側断面図である。
【図４】敷設された床材を取り外す工程を示すものであって、（Ａ）は、切断箇所を示す斜視図、（Ｂ）は、切断された板体をスライドした後の状態を示す斜視図、（Ｃ）は、蓋体及びネジがそれぞれ取り外された状態を示す斜視図である。
【図５】他の床材を敷設する工程を示すものであって、（Ａ）は、床材が取り外された後の状態と、他の床材とを示す斜視図、（Ｂ）は、他の床材が敷設された後の状態を示す斜視図である。
【図６】本発明の床材の更に他の例を示す断面図である。
【符号の説明】
【００３８】
１    床材
２    肉厚部
３    第１の薄肉部
４    第２の薄肉部
５    透孔
５ａ    大径部
５ｂ    小径部
６    溝部
７    第３の薄肉部
８    第４の薄肉部
９    蓋体
３０    第２のスリット
Ｎ    ネジ
Ｎ１    頭部
Ｎ２    軸部
【図１】
2006045812.tif 000003
【図２】
2006045812.tif 000004
【図３】
2006045812.tif 000005
【図４】
2006045812.tif 000006
【図５】
2006045812.tif 000007
【図６】
2006045812.tif 000008